(57)【要約】【課題】コンロ手前側に配置される単一又は複数のコンロバーナ２，３と、コンロ奥側に配置される単一又は複数のコンロバーナ４とを備えるガスコンロであって、袖引火を有効に防止できるようにする。【解決手段】燃焼禁止のための指示操作が可能な燃焼禁止指示手段７１を備え、コンロ手前側を前列、コンロ奥側を後列として、燃焼禁止指示手段７１の指示操作がされたときは、前列と後列とから選択される一方の列に配置されるコンロバーナ２，３又は４に対し、点火操作を行っても点火しないようにする燃焼禁止制御を行う。【選択図】図１
2014092309.tif 000002
【特許請求の範囲】
【請求項１】
コンロ手前側に配置される単一又は複数のコンロバーナと、コンロ奥側に配置される単一又は複数のコンロバーナとを備えるガスコンロであって、
燃焼禁止のための指示操作が可能な燃焼禁止指示手段を備え、
コンロ手前側を前列、コンロ奥側を後列として、燃焼禁止指示手段の指示操作がされたときは、前列と後列とから選択される一方の列に配置されるコンロバーナに対し、点火操作を行っても点火しないようにする燃焼禁止制御を行うことを特徴とするガスコンロ。
【請求項２】
全てのコンロバーナが消火されている状態で前記燃焼禁止指示手段の指示操作がされたときに選択される前記一方の列は、燃焼禁止指示手段の指示操作後に初めて点火操作がされたコンロバーナが配置される列とは異なる列であることを特徴とする請求項１記載のガスコンロ。
【請求項３】
前列に配置される少なくとも１つのコンロバーナ又は後列に配置される少なくとも１つのコンロバーナの燃焼中に前記燃焼禁止指示手段の指示操作がされたときに選択される前記一方の列は、燃焼中のコンロバーナが配置される列とは異なる列であることを特徴とする請求項１又は２記載のガスコンロ。
【請求項４】
燃焼禁止制御が行われているコンロバーナの点火操作が行われたときに、燃焼禁止制御中であることを報知する手段を備えることを特徴とする請求項１〜３の何れか１項記載のガスコンロ。
【発明の詳細な説明】
【技術分野】
【０００１】
本発明は、コンロ手前側に配置される単一又は複数のコンロバーナと、コンロ奥側に配置される単一又は複数のコンロバーナとを備えるガスコンロに関する。
【背景技術】
【０００２】
従来、この種のガスコンロとして、点火時にコンロバーナの火炎を点火可能な中火程度とし、点火後に徐々に強火となるように、コンロバーナへのガス供給量を調整し、コンロバーナの火炎により使用者の着衣の袖へ引火（袖引火）することを防ぐものが知られている（例えば、特許文献１参照）。
【０００３】
ここで、ガスコンロを使用する際、コンロ奥側のコンロバーナ上に被加熱物を置いたり、持ち上げたりしようとすると、コンロ手前側のコンロバーナの上方を使用者の着衣の袖が通過することとなる。上記従来例のものでは、点火後にはコンロバーナの火炎が強火となり、炎が被加熱物の径よりも大きくなることがあるため、コンロ手前側のコンロバーナの火炎による袖引火を生じないように注意する必要がある。
【先行技術文献】
【特許文献】
【０００４】
【特許文献１】特開平１０−１９２６１号公報
【発明の概要】
【発明が解決しようとする課題】
【０００５】
本発明は、以上の点に鑑み、袖引火を有効に防止できるようにしたガスコンロを提供することをその課題としている。
【課題を解決するための手段】
【０００６】
上記課題を解決するために、本発明は、コンロ手前側に配置される単一又は複数のコンロバーナと、コンロ奥側に配置される単一又は複数のコンロバーナとを備えるガスコンロであって、燃焼禁止のための指示操作が可能な燃焼禁止指示手段を備え、コンロ手前側を前列、コンロ奥側を後列として、燃焼禁止指示手段の指示操作がされたときは、前列と後列とから選択される一方の列に配置されるコンロバーナに対し、点火操作を行っても点火しないようにする燃焼禁止制御を行うことを特徴とする。
【０００７】
本発明によれば、後列に配置されるコンロバーナに対して燃焼禁止制御を行うと、後列のコンロバーナ上に被加熱物を置いたり、持ち上げたりしようとすることがほとんどなくり、前列に配置されるコンロバーナによる袖引火の可能性が極低くなる。また、後列に配置されるコンロバーナが燃焼していて、このコンロバーナ上に被加熱物を置いたり、持ち上げたりしようとする場合、前列に配置されるコンロバーナに対して燃焼禁止制御を行うことにより、前列のコンロバーナによる袖引火は生じない。従って、袖引火を有効に防止できる。
【０００８】
また、本発明においては、全てのコンロバーナが消火されている状態で前記燃焼禁止指示手段の指示操作がされたときに選択される前記一方の列は、燃焼禁止指示手段の指示操作後に初めて点火操作がされたコンロバーナが配置される列とは異なる列であることが望ましく、更に、前列に配置される少なくとも１つのコンロバーナ又は後列に配置される少なくとも１つのコンロバーナの燃焼中に前記燃焼禁止指示手段の指示操作がされたときに選択される前記一方の列は、燃焼中のコンロバーナが配置される列とは異なる列であることが望ましい。これらによれば、燃焼禁止制御を行うコンロバーナが配置される列を使用者が選択する必要がなく、利便性が向上する。
【０００９】
また、本発明においては、燃焼禁止制御が行われているコンロバーナの点火操作が行われたときに、燃焼禁止制御中であることを報知する手段を備えることが望ましい。これによれば、使用者は燃焼禁止制御中であることを認識できる。
【図面の簡単な説明】
【００１０】
【図１】本発明の実施形態のガスコンロを示す斜視図。
【図２】図１のガスコンロのガス供給路を示す図。
【図３】図２のコントローラが行う制御内容を示すフロー図。
【発明を実施するための形態】
【００１１】
図１を参照して、１は本発明の実施形態のガスコンロを示している。このガスコンロ１は、コンロ手前側に配置される左右一対のコンロバーナ２，３と、コンロ奥側に配置される単一のコンロバーナ４とを備える。各コンロバーナ２，３，４は、コンロ上面を覆う天板５上に載置される各五徳２１，３１，４１に囲われている。そして、各五徳２１，３１，４１に載置する鍋等の被加熱物が各コンロバーナ２，３，４で加熱されるようにしている。また、各コンロバーナ２，３，４には、被加熱物の温度を検出する温度センサ２２，３２，４２が付設されている。
【００１２】
コンロの前面には、グリル６の右側に、横方向に並べた各コンロバーナ２，３，４用の操作子２３，３３，４３と、各コンロバーナ２，３，４の加熱モードや加熱温度等の設定を行う各種操作スイッチと表示部とを有する引き出し式の操作盤７Ｒと、電源スイッチ８とが配置され、グリル６の左側に、グリルバーナ用の操作子６３と、グリル６の加熱モードや加熱温度等を行う各種操作スイッチと燃焼禁止とその解除のための指示操作（例えば、連続して数秒押し続ける操作）が可能な燃焼禁止指示ボタン（燃焼禁止指示手段）７１とを有する引き出し式の操作盤７Ｌとが配置されている。
【００１３】
図２を参照して、コンロバーナ２，３，４に燃料ガスを供給するガス供給路には、上流から順に、電磁弁２４，３４，４４と、流量調節弁２５，３５，４５とが介設されている。電磁弁２４，３４，４４と流量調節弁２５，３５，４５とは、操作子２３，３３，４３や燃焼禁止指示ボタン７１により、コントローラ９を介して制御される。操作子２３，３３，４３は、常時は後方の没入位置に存し、没入位置から一度押し込む（点火操作）とプッシュプッシュ機構の働きで前方の突出位置に前進する。そして、操作子２３，３３，４３の突出位置への前進により、コントローラ９は、通常は電磁弁２４，３４，４４を開弁し、コンロバーナ２，３，４に点火する制御を行う。更に、突出位置での操作子２３，３３，４３の回転操作により、コントローラ９は、流量調節弁２５，３５，４５の開度を調節し、コンロバーナ２，３，４の火力を調節する制御を行う。
【００１４】
但し、コンロ手前側を前列、コンロ奥側を後列として、燃焼禁止指示ボタン７１の操作により燃焼禁止指示がされたときは、前列と後列とから選択される一方の列に配置されるコンロバーナ２，３又は４に対し、点火操作を行っても点火しないようにする燃焼禁止制御を行う。即ち、前記一方の列として前列が選択されたときは、コンロバーナ２，３に対し、操作子２３，３３による点火操作を行っても電磁弁２４，３４を開弁せず、点火しないようにし、後列が選択されたときは、コンロバーナ４に対し、操作子４３による点火操作を行っても電磁弁４４を開弁せず、点火しないようにする。燃焼禁止指示がされた状態で再度燃焼禁止指示ボタン７１を操作することにより、燃焼禁止指示を解除することもできる。また、コントローラ９には、燃焼禁止指示の有無を記憶するＥＥＰＲＯＭ９１が内蔵されている。これにより、電源スイッチ８をＯＦＦしたとしても、燃焼禁止指示の有無の情報（燃焼禁止指示情報）を保持する。以下、図３を参照して、燃焼禁止制御について詳述する。
【００１５】
先ず、使用者が電源スイッチ８をＯＮすると、ＳＴＥＰ１で、ＥＥＰＲＯＭ９１に記憶されている燃焼禁止指示情報を読み出す。
【００１６】
次に、ＳＴＥＰ２で、何れかのコンロバーナ２，３，４が燃焼中であるか否かを判別する。全てのコンロバーナ２，３，４が消火されている状態では、ＳＴＥＰ３に進み、燃焼禁止指示の有無を判別し、燃焼禁止指示が有りのときは、ＳＴＥＰ４で、何れかのコンロバーナ２，３，４に点火操作がされているか否かを判別する。そして、点火操作がされると、ＳＴＥＰ５で、燃焼禁止指示が有りと判別された後に初めて点火操作がされたコンロバーナが配置される列とは異なる列、即ち、コンロバーナ２，３に点火操作されたときは後列、コンロバーナ４に点火操作されたときは前列が選択され、その列に配置されるコンロバーナに対して燃焼禁止制御を行う。これによれば、燃焼禁止制御を行うコンロバーナが配置される列を使用者が選択する必要がなく、利便性が向上する。
【００１７】
一方、ＳＴＥＰ３で、燃焼禁止指示が無いと判別したとき、また、ＳＴＥＰ４で、点火操作がされていないと判別したときは、後述するＳＴＥＰ１２へ進む。
【００１８】
また、ＳＴＥＰ２で、何れかのコンロバーナ２，３，４の燃焼中であると判別すると、ＳＴＥＰ６で、前列に配置されるコンロバーナ２，３と後列に配置されるコンロバーナ４とが共に燃焼中であるか否かを判別し、前列のコンロバーナ２，３又は後列のコンロバーナ４が燃焼中であるとき、ＳＴＥＰ７に進み、燃焼禁止指示の有無を判別する。燃焼禁止指示が有りのときは、ＳＴＥＰ８で、燃焼中のコンロバーナが配置される列とは異なる列、即ち、コンロバーナ２，３の燃焼中は後列、コンロバーナ４の燃焼中は前列が選択され、その列に配置されるコンロバーナに対して燃焼禁止制御を行う。この場合においても、燃焼禁止制御を行うコンロバーナが配置される列を使用者が選択する必要がなく、利便性が向上する。尚、ＳＴＥＰ７で、燃焼禁止指示が無いと判別したときは、燃焼禁止制御を行わず、後述するＳＴＥＰ１２へ進む。
【００１９】
一方、ＳＴＥＰ６で、前列のコンロバーナ２，３と後列のコンロバーナ４とが共に燃焼中であると判別すると、ＳＴＥＰ９で、何れの列に配置されたコンロバーナ２，３，４に対しても燃焼禁止制御を行わない。これによれば、燃焼中のコンロバーナ２，３，４を消火してしまうことはなく、使い勝手が悪くならない。ＳＴＥＰ９からは、後述するＳＴＥＰ１２へ進む。
【００２０】
ＳＴＥＰ５もしくはＳＴＥＰ８からＳＴＥＰ１０に進むと、燃焼禁止制御が行われているコンロバーナ２，３又は４の点火操作が行われたか否かを判別し、点火操作が行われたときに、ＳＴＥＰ１１で、ＬＥＤ９２の点灯や音声により燃焼禁止制御中であることを報知する。これによれば、使用者は燃焼禁止制御中であることを認識でき、故障であると誤解して、修理依頼をしてしまうこともない。
【００２１】
ＳＴＥＰ１２では、電源スイッチ８がＯＦＦであるか否かを判別し、電源スイッチ８がＯＦＦであるときは、ＳＴＥＰ１３で、燃焼禁止指示情報をＥＥＰＲＯＭ９１に記憶して終了し、電源スイッチ８がＯＦＦされていないときは、ＳＴＥＰ２に戻る。
【００２２】
以上の制御によれば、後列に配置されるコンロバーナ４に対して燃焼禁止制御を行うと、後列のコンロバーナ４上に被加熱物を置いたり、持ち上げたりしようとすることがほとんどなくなり、前列に配置されるコンロバーナ２，３による袖引火の可能性が極低くなる。また、後列に配置されるコンロバーナ４が燃焼していて、このコンロバーナ４上に被加熱物を置いたり、持ち上げたりしようとする場合、前列に配置されるコンロバーナ２，３に対して燃焼禁止制御を行うことにより、前列のコンロバーナ２，３による袖引火は生じない。従って、袖引火を有効に防止できる。
【００２３】
以上、本発明の実施形態について図面を参照して説明したが、本発明はこれに限定されない。例えば、上記実施形態では、ガスコンロ１は、コンロ手前側に配置される左右一対のコンロバーナ２，３と、コンロ奥側に配置される単一のコンロバーナ４とを備えるが、コンロ手前側に配置されるガスバーナが単一でも、３つ以上の複数でもよく、また、コンロ奥側に配置されるコンロバーナが複数でもよい。
【符号の説明】
【００２４】
１…ガスコンロ、２，３，４…コンロバーナ、７１…燃焼禁止指示ボタン（燃焼禁止指示手段）。
【図１】
2014092309.tif 000003
【図２】
2014092309.tif 000004
【図３】
2014092309.tif 000005